(57)【要約】【課題】本発明は、残存型枠パネルの各段毎の角度設定作業をはじめ施工が多大な労力を要せずに短時間に作業効率良く行え、以て工期が短期間になり、施工後は土砂等の裏込材の側圧が裏面から加わった場合に、目地材個所にひび割れを生じたり、残存型枠パネルが崩落せずに構造堅牢になり、保守・管理も容易であり、設備費等、経済的にする。【解決手段】アンカー金具４に一端を取付けた鉄筋５を支持材として積み重ねる残存型枠パネル１の背面にコンクリート等の裏込材Ｕを詰め込んで構築するものにして、アンカー金具は所望列が列設され、鉄筋は、各段毎に下側に配置される第１鉄筋部５Ａ1・・・５Ｎ1と上側に配置される第２鉄筋部５Ｂ2・・５Ｎ2との少なくとも２本を１対とし、一端がアンカー金具に任意挟角θ1a・・・θnに取付けられ、他端が結合金具に取付けられて地山カット線Ｉに合わせて残存型枠パネルの設置角度αを決定し、積み重ねる。【選択図】図１
2006207317.tif 000002
【特許請求の範囲】
【請求項１】
（ａ）残存型枠パネルを所望数段斜めに積み重ね、該残存型枠パネルは背面に装設した結合金具に一端が取付けられ、他端が積み重ねられる前記残存型枠パネルの背面側に設置する基礎コンクリート層部もしくは下段に配置する残存型枠パネルに対して略等しい高さまで逐次打設される打込みコンクリート層部に下半分を埋設したアンカー金具に取付けた鉄筋を支持材として介装されることにより所望数段積み重ねた残存型枠パネルの背面にコンクリート、割石等の裏込材を詰め込んで構築するコンクリート構造体の構築方法において、
（ｂ）前記アンカー金具は、前記残存型枠パネルの背面側に各積み重ね段数に対応する設置幅に所望列が列設され、
（ｃ）前記鉄筋は、各段の前記残存型枠パネル毎に上下の下側に配置される第１鉄筋部と、上側に配置される第２鉄筋部とよりなる長さが長短異なる少なくとも２本が１対として組付けられ、
（ｄ）前記第１鉄筋部と前記第２鉄筋部とは、夫々の一端が所望列の前記アンカー金具に任意挟角をもって取付けられるとともに、夫々の他端が所望段の前記残存型枠パネルの背面に高さを違えて設けた前記結合金具に取付けられることにより斜めに切断した地山カット線に合わせて前記残存型枠パネルの設置角度を決定し、
（ｅ）残存型枠パネルを所望数段斜めに積み重ねることを特徴とした
（ｆ）コンクリート構造体の構築方法。
【請求項２】
前記アンカー金具は、前記残存型枠パネルの各積み重ね段数に対応して前記残存型枠パネルからの設置距離を異にして前記基礎コンクリート層部、もしくは単一の前記打込みコンクリート層部に所望列が前記残存型枠パネルに沿って列設されることを特徴とする請求項１に記載のコンクリート構造体の構築方法。
【請求項３】
前記各段の前記残存型枠パネル毎に使用される前記第１鉄筋部と、前記第２鉄筋部とは前記残存型枠パネルに対して側面不等辺三角形に組付けられることを特徴とした請求項１または２に記載のコンクリート構造体の構築方法。
【請求項４】
前記各段の前記残存型枠パネル毎に使用される前記第１鉄筋部と、前記第２鉄筋部とは１本の鉄筋を側面略Ｖ字の二股状に折曲して形成されることを特徴とした請求項１,２,３に記載のコンクリート構造体の構築方法。
【発明の詳細な説明】
【技術分野】
【０００１】
本発明はコンクリート構造体の構築方法に関し、例えば砂防ダム、治山ダム、擁壁、堰、防波堤、消波堤等のコンクリート構造体を作業効率良く、構造堅牢に構築するものである。
【背景技術】
【０００２】
従来、例えば砂防ダム等の壁体の構築方法としては、残存型枠パネル（パネル状の埋設型枠）を地山カット面の前面に斜めに所望数段、積み重ね、その残存型枠パネルの背面に打込みコンクリート、割石、土砂等の裏込材を詰め込むことにより構築する方法がある。
【０００３】
そして、壁体の構築中に所望数段、斜めに積み重ねる残存型枠パネルを支持する従来方法として下記のようなものがある。先ず、この残存型枠パネルの背面の左右両側と、最下段の残存型枠パネルを敷設する基礎コンクリート層部、もしくは、下段に配置する残存型枠パネルに対して略等しい高さまで逐次裏込材として打設される各層毎の打込みコンクリート層部に下半部を埋設したアンカー金具とに仮支持材を長さを調節してからその両端を着脱自在に取付けることにより残存型枠パネルの設置角度を緩急調整する。その後、仮支持材が裏面に介装されることにより地山に対する設置角度が調整された残存型枠パネルの裏面略中央に前記仮支持材と同様構造の支持材としての斜材の長さを残存型枠パネルと基礎コンクリート部との間の設置距離に合わせて調節してからその斜材の両端を溶接する等して固定し、支持する。そして、斜材を残存型枠パネルの裏面に介装することにより残存型枠パネルの設置角度を決定した後は不用になった前記仮支持材を撤去する。それから、積み重ねられる各段の残存型枠パネル毎の裏面に裏込め材を詰め込む。この時、設置角度が決定されてから積み重ねられる各段の残存型枠パネル毎の裏面に支持される支持材としての斜材は、積み重ねが上段に行くに応じて長い長さのものが１本づつ使用されて支持を行うものである。しかも、下段の残存型枠パネルの支持に用いられる短い長さの斜材に対して上段の残存型枠パネルの支持に用いられる長い長さの斜材は後列に平行に配列されるものがあった（特許文献１参照）。
【特許文献１】特開平８−１５８３５０号公報
【発明の開示】
【発明が解決しようとする課題】
【０００４】
しかしながら、特許文献１に記載の上記従来の壁体の構築方法は、先ず残存型枠パネルの設置角度を設定するのに、各段毎の残存型枠パネルの裏面の左右両側に仮支持材を設置長さを調整してから仮止めすることにより積み重ねを行うために残存型枠パネルの設置角度を設定しなければならない。その後、仮支持材が不用になった時には撤去しなければならないので、積み重ねられる各段毎の残存型枠パネルの角度設定作業に多くの時間と労力を必要とし、工事の工期が長期間になり、作業効率が著しく低いものであった。そして、壁体を構築するためには、仮支持材を必要にするので、保守・管理も容易ではなく、しかも、多大な設備費が必要になり、経済的に不利であった。
【０００５】
また、特許文献１に記載の上記従来の壁体の構築方法は、積み重ねられる各段の残存型枠パネル毎の裏面に取付けられる支持材としての斜材は、残存型枠パネルの積み重ねが上段に行くに応じて基礎コンクリート層部または下段に位置するコンクリート層部からの長さが長くなり、残存型枠パネルを支持するためには各段に１本づつ使用されるものである。しかも、特許文献１に記載の上記従来の壁体の構築方法は、下段の残存型枠パネルの支持に用いられる短い斜材に対して上段の残存型枠パネルを支持するのに用いられる長い長さの斜材は後列に平行に配列されるので、壁体の構築後に積み重ねられた残存型枠パネルの背面に詰め込まれた土砂等の裏込材の側圧が残存型枠パネルに裏面から加わると、支持材としての斜材は側圧に抗しきれず、残存型枠パネル相互間の目地材個所にひび割れを生じたり、積み重ねられた残存型枠パネルが崩落するという不都合を生じていた。
【０００６】
本発明は上記従来の欠点を解決し、積み重ねられる各段毎の残存型枠パネルの角度設定作業をはじめ施工が多大な労力を要することなく短時間に作業効率良く行え、以て工事の工期が短期間になり、しかも、施工後は土砂等の裏込材の側圧が残存型枠パネルに裏面から加わった場合に、側圧に抗して残存型枠パネル相互間の目地材個所にひび割れを生じたり、積み重ねられた残存型枠パネルが崩落することなく構造堅牢になり、さらには、保守・管理も容易になり、多大な設備費を要せず、経済的に有利なコンクリート構造体の構築方法を提供することを目的とする。
【課題を解決するための手段】
【０００７】
本発明は上記課題に鑑みなされたものであり、請求項１に記載の発明は、
（ａ）残存型枠パネルを所望数段斜めに積み重ね、該残存型枠パネルは背面に装設した結合金具に一端が取付けられ、他端が積み重ねられる前記残存型枠パネルの背面側に設置する基礎コンクリート層部もしくは下段に配置する残存型枠パネルに対して略等しい高さまで逐次打設される打込みコンクリート層部に下半分を埋設したアンカー金具に取付けた鉄筋を支持材として介装されることにより所望数段積み重ねた残存型枠パネルの背面にコンクリート、割石等の裏込材を詰め込んで構築するコンクリート構造体の構築方法において、
（ｂ）前記アンカー金具は、前記残存型枠パネルの背面側に各積み重ね段数に対応する設置幅に所望列が列設され、
（ｃ）前記鉄筋は、各段の前記残存型枠パネル毎に上下の下側に配置される第１鉄筋部と、上側に配置される第２鉄筋部とよりなる長さが長短異なる少なくとも２本が１対として組み付けられ、
（ｄ）前記第１鉄筋部と前記第２鉄筋部とは、夫々の一端が所望列の前記アンカー金具に任意挟角をもって取付けられるとともに、夫々の他端が所望段の前記残存型枠パネルの背面に高さを違えて設けた前記結合金具に取付けられることにより斜めに切断した地山カット線に合わせて前記残存型枠パネルの設置角度を決定し、
（ｅ）残存型枠パネルを所望数段斜めに積み重ねることを特徴とした。
【０００８】
また、本発明の請求項２に記載の発明は、請求項１において、前記アンカー金具は、前記残存型枠パネルの各積み重ね段数に対応して前記残存型枠パネルからの設置距離を異にして前記基礎コンクリート層部、もしくは単一の前記打込みコンクリート層部に所望列が前記残存型枠パネルに沿って列設されることを特徴とする。
【０００９】
また、本発明の請求項３に記載の発明は、請求項１または２において、前記各段の前記残存型枠パネル毎に使用される前記第１鉄筋部と、前記第２鉄筋部とは前記残存型枠パネルに対して側面不等辺三角形に組付けられることを特徴とした。
【００１０】
また、本発明の請求項４に記載の発明は、請求項１,２,３において、前記各段の前記残存型枠パネル毎に使用される前記第１鉄筋部と、前記第２鉄筋部とは１本の鉄筋を側面略Ｖ字の二股状に折曲して形成されることを特徴とした。
【発明の効果】
【００１１】
本発明は、積み重ねられる各段毎の残存型枠パネルの角度設定作業をはじめ施工が多大な労力を要することなく短時間に作業効率良く行え、以て工事の工期が短期間になり、しかも、施工後は土砂等の裏込材の側圧が残存型枠パネルに裏面から加わった場合に、側圧に抗して残存型枠パネル相互間の目地材個所にひび割れを生じたり、積み重ねられた残存型枠パネルが崩落することなく構造堅牢になり、さらには、保守・管理も容易になり、多大な設備費を要せず、経済的に有利になる。
【発明を実施するための最良の形態】
【００１２】
以下図面に従い、本発明を実施するための最良の形態につき詳細を説明する。
【００１３】
図１は本発明のコンクリート構造体の構築方法の実施形態１を示す断面図、図２は同じく背面図、図３は同じく本実施形態１を構成する残存型枠パネルの一例を示す正面図、図４は同じく残存型枠パネルの背面図、図５は同じく側面図である。
【００１４】
本実施形態１は、残存型枠パネル１,１・・・を所望数段斜めに積み重ね、該残存型枠パネル１,１・・・は背面に装設した結合金具２に一端が取付けられ、他端が積み重ねるべき残存型枠パネル１,１・・・の基礎となる基礎コンクリート層部Ｋもしくは下段に配置する残存型枠パネル１に対して略等しい高さＨまで逐次打設される打込みコンクリート層部３に下半分を埋設したアンカー金具４に取付けられた鉄筋５を支持材として介装されることにより所望数段積み重ねた残存型枠パネル１,１・・・の背面にコンクリート、割石等の裏込材Ｕを詰め込んで構築するコンクリート構造体Ａの構築方法である。また、残存型枠パネル１,１・・・の表面は、例えば天然石を貼付けたり、または擬石模様を付したり、滑面模様を形成する点は例えば特許文献１に記載の従来のコンクリート構造体の構築方法と同様である。
【００１５】
しかしながら、本実施形態１では、前記結合金具２は、所望段の前記残存型枠パネル１,１の背面に、左右の側端から高さｈ１,ｈ２を違えて合計４個所に突設される（図２、図４参照）。
【００１６】
２′は前記残存型枠パネル１の左右の側端部に、前記結合金具２に対し同様高さｈ１,ｈ２にて突設された連結金具であり、この連結金具２′,２′は残存型枠パネル１,１・・・相互を連続して連結する場合に、隣接の残存型枠パネル１,１・・・に設けた対向する相互を金属線条材を用いて結束したり、図には示さない結合金具を介して相互を溶接したりして緊結するためのものである。
【００１７】
また、本実施形態１では、アンカー金具４は、図示では金属棒を略Ｕ字状に折曲したものが使用されるが、これに限ることなく、図には示さないが、直線状の鉄筋であってもよい。そしてこのアンカー金具４は、前記残存型枠パネル１,１・・・の各積み重ね段数に対応して残存型枠パネル１,１・・・の背面に設置幅Ｗ１,Ｗ２・・・Ｗｎを違えて所望列が列設される。この実施形態１では図１、図２に示すように、残存型枠パネル１,１は２段積みする場合を代表的に図示しているので、アンカー金具４は残存型枠パネル１,１の背面に１段目用の残存型枠パネル１を鉄筋５を介して支持するためのアンカー金具４と、２段目用の残存型枠パネル１を鉄筋５を介して支持するためのアンカー金具４との２列が少なくとも基礎コンクリート層部Ｋに設けられている。
【００１８】
また、このアンカー金具４の設置個所は図示するものに限ることなく、例えば残存型枠パネル１,１・・・の積み重ね段数が多くなる場合には、下段に配置する残存型枠パネル１に対して略等しい高さＨまで逐次打設される単一の打込みコンクリート層部３に前記残存型枠パネル１,１・・・の各積み重ね段数に対応して設置幅Ｗ１,Ｗ２・・・Ｗｎにて所望列が列設される。
【００１９】
また、前記鉄筋５は、本実施形態１では各段の前記残存型枠パネル１,１毎に上下の下側に配置される第１鉄筋部５Ａ1,５Ｂ1と、上側に配置される第２鉄筋部５Ａ2,５Ｂ2とよりなる長さＬ１,Ｌ２;Ｌ３,Ｌ４を長短異にする少なくとも２本を１対として組付ける。本実施形態１に用いる第１鉄筋部５Ａ1,５Ｂ1と、第２鉄筋部５Ａ2,５Ｂ2との長さＬ１,Ｌ２;Ｌ３,Ｌ４は、地山カット線Ｉに合わせて積み重ねられる残存型枠パネル１,１の設置角度αに応じて形成される。
【００２０】
また、前記第１鉄筋部５Ａ1；５Ｂ1と、前記第２鉄筋部５Ａ2；５Ｂ2とは、夫々の一端６ａが所望列の前記アンカー金具４,４に任意挟角θ1a,θ2aをもって取付けられるとともに、夫々の他端６ｂが所望段の前記残存型枠パネル１,１の背面に、左右の側端から高さｈ１,ｈ２を違えて合計４個所に設けた前記結合金具２,２;２,２に取付けられることにより斜めに切断した地山カット線Ｉに合わせて積み重ねる残存型枠パネル１,１の設置角度αを決定し、残存型枠パネル１,１を所望数段斜めに積み重ねる。この際、下段の残存型枠パネル１に上段の残存型枠パネル１を積み重ねるのに地山がカット線Ｉに合わせて残存型枠パネル１,１を積み上げるのには、下段の残存型枠パネル１の裏面に設けた上段の結合金具２と上段の残存型枠パネル１の背面に設けた下段の結合金具２とを残存型枠パネル１,１・・・の背面に沿って配した直線状のガイド筋Ｇ,Ｇ・・・の上下を溶接することにより残存型枠パネル１,１・・・を容易に地山カット線Ｉに一致させて積み上げることができる。
【００２１】
また、前記各段の前記残存型枠パネル１,１毎の支持に使用される前記第１鉄筋部５Ａ1と、前記第２鉄筋部５Ａ2、また, 前記第１鉄筋部５Ｂ1と前記第２鉄筋部５Ｂ2とは積み重ねられる前記残存型枠パネル１,１に対して側面不等辺三角形に組付けられる（図１参照）。
【００２２】
このように、各段の前記残存型枠パネル１,１毎の支持に使用される前記第１鉄筋部５Ａ1と前記第２鉄筋部５Ａ2、また, 前記第１鉄筋部５Ｂ1と前記第２鉄筋部５Ｂ2は積み重ねられる前記残存型枠パネル１,１に対して側面不等辺三角形に組付けられるので、下段に配置する残存型枠パネル１に対して略等しい高さＨまで逐次打設する打込コンクリート層部３であるとか、または割石、土砂等の裏込材Ｕの側圧Ｆが残存型枠パネル１,１に裏面から加わると、その側圧Ｆによる残存型枠パネル１,１に対する引張力が前記第１鉄筋部５Ａ1と前記第２鉄筋部５Ａ2に、また、前記第１鉄筋部５Ｂ1と前記第２鉄筋部５Ｂ2とに分圧Ｆ１,Ｆ２；Ｆ′１,Ｆ′２として夫々分散されて働くため、残存型枠パネル１,１相互間の目地材個所にひび割れを生じたり、積み重ねられた残存型枠パネル１,１が崩落することがなくなり、例えば砂防ダム、治山ダム、擁壁、堰、防波堤、消波堤等の構造堅牢なコンクリート構造体Ａを構築することができる。
【００２３】
７はコンクリート構造体Ａを構築するために、地山８を斜めに掘削したその掘削孔である。
【００２４】
本発明の実施形態１は以上の構成からなり、例えば砂防ダム、治山ダム、擁壁、堰、防波堤、消波堤等のコンクリート構造体Ａを構築するのには、残存型枠パネル１,１・・・を地山カット面Ｉに沿って所望数段斜めに積み重ねる。
【００２５】
これには、先ず地山８を斜めに掘削してその掘削孔７の底部に直接的に最下段の残存型枠パネル１,１・・・をカット面Ｉに合わせて斜めに、長手方向に連続的に敷設するか、または地山８の掘削孔７の底部にコンクリートを打設することにより所望高さに構築された基礎コンクリート層部Ｋの上面に最下段の残存型枠パネル１,１・・・を長手方向に地山カット面Ｉの傾斜に合わせて斜めに連続して敷設する。
【００２６】
この時、必要に応じて図１に示すように、最下段の残存型枠パネル１,１・・・の下面に高さ調整パネル１′,１′・・・を掘削孔７の底部に敷設することにより高さを調整してから残存型枠パネル１,１・・・の積み重ね作業を行う。
【００２７】
すなわち、図２、図４に示すように、残存型枠パネル１,１の背面には左右の側端から高さｈ１,ｈ２を違えて合計４個所に結合金具２,２；２,２が突設されているので、この結合金具２,２；２,２のうち下側の左右の結合金具２,２には短い長さＬ１の第１鉄筋部５Ａ1の一端６ｂを溶接により固定する。
【００２８】
この際、短い長さＬ１の第１鉄筋部５Ａ1の先端および末端には例えばＬ字状に折曲部ｓ,ｓ′が形成されているので、先端側の折曲部ｓ,ｓを下側の前記結合金具２,２に溶接するのに、結合金具２,２に対して第１鉄筋部５Ａ1を回動操作することにより先端側の折曲部ｓ,ｓの取付角度の調整が容易に行うとともに、第１鉄筋部５Ａ1の末端に設けた折曲部ｓ′,ｓ′を基礎コンクリート層部Ｋに下半部を埋設している図示のようなＵ字状のアンカー金具４、または図示はしない直線状のアンカー金具に容易に溶接することができる。
【００２９】
また、同様に長い長さＬ２の第２鉄筋部５Ａ2の先端および末端には例えばＬ字状に折曲部ｓ,ｓ′が形成されているので、先端側の折曲部ｓ,ｓを上側の前記結合金具２,２に溶接するのに、結合金具２,２に対して第２鉄筋部５Ａ2を回動操作することにより先端側の折曲部ｓ,ｓの取付角度の調整が容易に行えるとともに、第２鉄筋部５Ｂ2の末端に設けた折曲部ｓ′,ｓ′をＵ字状のアンカー金具４に容易に溶接することができる。
【００３０】
こうして、下側に配置される短い長さＬ１の第１鉄筋部５Ａ1と上側に配置される長い長さＬ２の第２鉄筋部５Ａ2との２本で１対をなす支持材としての鉄筋５は、それぞれの一端の折曲部ｓ′,ｓ′が基礎コンクリート層部Ｋに下半分を埋設した最前列のアンカー金具４に溶接により任意挟角θ1aをもって固定されるとともに、夫々の他端（先端）が最下段の残存型枠パネル１,１・・・の背面側に左右の側端から高さｈ１,ｈ２を違えて合計４個所に設けた前記結合金具２,２;２,２のうち、下側の結合金具２,２には第１鉄筋部５Ａ1が溶接を行うことにより取付けられる。
【００３１】
しかも、上側の結合金具２,２には第２鉄筋部５Ａ2が溶接されて取付けられるので、下側に配置される短い長さＬ１の第１鉄筋部５Ａ1と上側に配置される長い長さＬ２の第２鉄筋部５Ａ2とは残存型枠パネル１,１・・・に対して任意挟角θ1aをなす側面不等辺三角形に組付けられることにより最下段の残存型枠パネル１,１・・・の設置角度αが決定され、残存型枠パネル１,１・・・を斜めに切断した地山カット線Ｉに合わせて最下段の残存型枠パネル１,１・・・を敷設することができる。
【００３２】
この際、下段の残存型枠パネル１に上段の残存型枠パネル１を積み重ねるのに地山がカット線Ｉに合わせて残存型枠パネル１,１を積み上げるのには、下段の残存型枠パネル１の裏面に設けた上段の結合金具２と上段の残存型枠パネル１の背面に設けた下段の結合金具２とを残存型枠パネル１,１・・・の背面に沿って配した直線状のガイド筋Ｇ,Ｇ・・・の上下を溶接することにより残存型枠パネル１,１・・・を容易に地山カット線Ｉに一致させて積み上げることができる。
【００３３】
その後、長手方向に隣接する残存型枠パネル１,１・・・の左右の側端部に、前記結合金具２に対し同様高さｈ１,h２にて突設した連結金具２′,２′相互を連結金具２′,２′に架設した直線状の連結筋を溶接したり、金属線条材を用いて結束したり、図には示さない結合金具を介して相互を溶接したりして緊結することにより最下段の残存型枠パネル１,１・・・相互を連続して敷設する。
【００３４】
次に、このような操作を繰り返して行うことにより連続して敷設した最下段の残存型枠パネル１,１・・・の上面に下側に配置される短い長さＬ３の第１鉄筋部５Ｂ1と上側に配置される長い長さＬ４の第２鉄筋部５Ｂ2との２本で１対をなす支持材としての鉄筋５は、それぞれの一端の折曲部ｓ′,ｓ′が基礎コンクリート層部Ｋに下半分を埋設した２列目のアンカー金具４や図には示さない直線状のアンカー筋に溶接により任意挟角θ1bをもって第１鉄筋部５Ｂ1と第２鉄筋部５Ｂ2は固定されるとともに、夫々の他端６ｂ,６ｂが２段目の残存型枠パネル１,１・・・の背面側に左右の側端から高さｈ１,ｈ２を違えて合計４個所に設けた前記結合金具２,２;２,２のうち、下側の結合金具２,２には第１鉄筋部５Ｂ1が溶接をすることにより取付けられる。
【００３５】
しかも、上側の結合金具２,２には第２鉄筋部５Ｂ2が溶接することにより取付けられるので、下側に配置される短い長さＬ３の第１鉄筋部５Ｂ1と上側に配置される長い長さＬ４の第２鉄筋部５Ｂ2とは残存型枠パネル１,１・・・に対して任意挟角θ1bをなす側面不等辺三角形に組付けられることにより２段目の残存型枠パネル１,１・・・の設置角度αを決定し、残存型枠パネル１,１・・・を斜めに切断した地山カット線Ｉに合わせて２段目の残存型枠パネル１,１・・・を敷設することができる。
【００３６】
そして、長手方向に隣接する残存型枠パネル１,１・・・の左右の側端部に、前記結合金具２に対し同様高さｈ１,h２にて突設した対向する連結金具２′,２′相互を連結金具２′,２′に架設した直線状の連結筋を溶接したり、金属線条材を用いて結束したり、図には示さない結合金具を介して相互を溶接したりして緊結することにより最下段の残存型枠パネル１,１・・・の上に２段目の残存型枠パネル１,１・・・相互を連続して敷設する。
【００３７】
以後、同様に順次積み重ねる残存型枠パネル１,１・・・の各段に対応する設置幅Ｗ１・・・Ｗｎにて基礎コンクリート層部Ｋに所望列が列設されたアンカー金具４に、各段の残存型枠パネル１,１・・・毎に上下の下側に配置される短い長さの第１鉄筋部５Ｎ1と、上側に配置される長い長さの第２鉄筋部５Ｎ2とよりなる長短長さを異にする前記第１鉄筋部５Ｎ1と前記第２鉄筋部５Ｎ2との夫々の一端を任意挟角θnをもって取付け、さらには下段の残存型枠パネル１に上段の残存型枠パネル１を積み重ねるのに地山がカット線Ｉに合わせて残存型枠パネル１,１を積み上げる場合に、下段の残存型枠パネル１の裏面に設けた上段の結合金具２と上段の残存型枠パネル１の背面に設けた下段の結合金具２とを残存型枠パネル１,１・・・の背面に沿って配した直線状のガイド筋Ｇ,Ｇ・・・の上下を溶接することにより残存型枠パネル１,１・・・を容易に地山カット線Ｉに一致させて積み上げるとともに、第１鉄筋部５Ｎ1と第２鉄筋部５Ｎ2と夫々の他端を残存型枠パネル１,１・・・の背面に高さｈ１,ｈ２を違えて上下に設けた結合金具２,２；２,２にそれぞれ溶接して取付けるという簡単な取扱い操作を繰り返して行うことにより斜めに切断した地山カット線Ｉに合わせて残存型枠パネル１,１・・・の設置角度αが迅速かつ確実に決定され、残存型枠パネル１,１・・・を所望数段斜めに積み重ねることができる。
【００３８】
そして、所望数段積み重ねた残存型枠パネル１,１・・・の背面にコンクリート、割石、土砂等の裏込材Ｕを詰め込むことにより例えば砂防ダム、治山ダム、擁壁、堰、防波堤、消波堤等のコンクリート構造体Ａを構築することができる。
【００３９】
このように、図１の如く、各段の前記残存型枠パネル１,１・・・毎の支持に使用される前記第１鉄筋部５Ａ1・・・５Ｎ1と前記第２鉄筋部５Ａ2・・５Ｎ2は積み重ねられる前記残存型枠パネル１,１・・・に対して側面不等辺三角形に組付けられるので、下段に配置する残存型枠パネル１,１・・・の裏面に打設する打込みコンクリート層部３であるとか、または詰め込まれた割石、土砂等の裏込材Ｕの側圧Ｆが残存型枠パネル１,１・・・に裏面から加わつた場合に、その側圧Ｆによる残存型枠パネル１,１・・・に対する引張力がそれぞれ第１鉄筋部５Ａ1・・・５Ｎ1と、前記第２鉄筋部５Ｂ2・・・５Ｎ2とに、分圧Ｆ１,Ｆ２；Ｆ′１,Ｆ′２として夫々分散されて働くため、残存型枠パネル１,１・・・相互間の目地材個所にひび割れを生じたり、積み重ねられた残存型枠パネル１,１・・・が崩落することがなくなり、構造堅牢な例えば砂防ダム、治山ダム、擁壁、堰、防波堤、消波堤等のコンクリート構造体Ａを構築することができる。
【００４０】
上記説明では、積み重ねる各残存型枠パネル１,１・・・毎の取付に使用されるアンカー金具４の設置個所は、基礎コンクリート層部３に備えられた場合を代表的に説明したけれども、これに限ることなく、アンカー金具４の設置個所は、例えば残存型枠パネル１,１・・・の積み重ね段数が多くなる場合には、下段に配置する残存型枠パネル１に対して略等しい高さＨまで逐次打設される単一のコンクリート層部３にアンカー金具４を残存型枠パネル１,１・・・の各積み重ね段数に対応する設置幅Ｗｎにて所望列を設けることによりこれらの所望のアンカー金具４に各段の残存型枠パネル１,１・・・毎の第１鉄筋部５Ａ1・・・５Ｎ1と前記第２鉄筋部５Ｂ2・・５Ｎ2との末端側の一端を取付けることにより積み重ねられる残存型枠パネル１,１・・・に対して第１鉄筋部５Ａ1・・・５Ｎ1と前記第２鉄筋部５Ｂ2・・５Ｎ2とを側面不等辺三角形に組付けるようにすることも本発明の適用範囲である。
【００４１】
また、上記説明では、鉄筋５は、本実記形態１では各段の前記残存型枠パネル１,１毎に上下の下側に配置される第１鉄筋部５Ａ1,５Ｂ1と、上側に配置される第２鉄筋部５Ａ2,５Ｂ2とよりなる長さＬ１,Ｌ２;Ｌ３,Ｌ４を長短異にする少なくとも２本が１対として組み合わせ使用される場合を代表的に説明したが、これは例示であり、第１鉄筋部５Ａ1,５Ｂ1と、前記第２鉄筋部５Ａ2,５Ｂ2とは１本の鉄筋を側面略Ｖ字の二股状に折曲して形成されることにより部品点数を削減するのと、組付けの手間を簡素化する場合も本発明の適用範囲である。
【００４２】
しかも、残存型枠パネル１,１・・・の支持に使用する側面不等辺三角形の鉄筋５の使用本数は２本に限らず、増加することも自由であり、それ以上の複数本であっても良い。
【産業上の利用可能性】
【００４３】
本発明は、積み重ねられる各段毎の残存型枠パネルの角度設定作業をはじめ施工が多大な労力を要することなく短時間に作業効率良く行え、以て工事の工期が短期間になり、しかも、施工後は土砂等の裏込材の側圧が残存型枠パネルに裏面から加わった場合に、側圧に抗して残存型枠パネル相互間の目地材個所にひび割れを生じたり、積み重ねられた残存型枠パネルが崩落することなく構造堅牢になり、さらには、保守・管理も容易になり、多大な設備費を要せず、経済的に有利になるという分野・用途に適する。
【図面の簡単な説明】
【００４４】
【図１】図１は本発明の本発明のコンクリート構造体の構築方法の実施形態１を示す断面図である。
【図２】図２は同じく背面図である。
【図３】図３は同じく本実施形態１を構成する残存型枠パネルの一例を示す正面図である。
【図４】図４は同じく残存型枠パネルの背面図である。
【図５】図５は同じく側面図である。
【符号の説明】
【００４５】
１        残存型枠パネル
２        結合金具
２′      連結金具
３        打込みコンクリート層部
４        アンカー金具
５        鉄筋
５Ａ1    第１鉄筋部
５Ｂ1    第１鉄筋部
５Ｎ1    第１鉄筋部
５Ａ2    第２鉄筋部
５Ｂ2    第２鉄筋部
５Ｎ2    第２鉄筋部
８       地山
Ａ       コンクリート構造体
Ｆ       側圧
Ｆ１     分圧
Ｆ２     分圧
Ｆ′１   分圧
Ｆ′２   分圧
Ｉ       地山カット線
Ｋ       基礎コンクリート層部
Ｌ１     長さ
Ｌ２     長さ
Ｌ３     長さ
Ｌ４     長さ
Ｕ       裏込材
θ1a    挟角
θ1b    挟角
α       設置角度
ｈ１     高さ
ｈ２     高さ
【図１】
2006207317.tif 000003
【図２】
2006207317.tif 000004
【図３】
2006207317.tif 000005
【図４】
2006207317.tif 000006
【図５】
2006207317.tif 000007